(57)【要約】【課題】電話の発着信制御期間中に外部アクセスのためのボタンが誤って操作されても、発着信制御が適切に実行されるようにする。【解決手段】発信側の電話端末１Ａ及び着信側の電話端末２Ａの何れにおいても、手動発信制御期間中及びその着信制御期間中は電話端末２Ａの動作状態を「準起動状態」に設定し、この「準起動状態」の状態ではインターネットアクセスのための操作を受付けないように入力受付制限部２１３で制御するようにしたものである。【選択図】図２
2013157715.tif 000002
【特許請求の範囲】
【請求項１】
電話制御機能及び外部アクセス機能を備え、テレビジョン受信装置の外部入力端子に接続され、前記外部アクセス機能により受信されたＷｅｂ情報を前記テレビジョン受信装置へ出力して表示させる電話装置において、
操作端末により入力された、前記電話制御機能及び外部アクセス機能を動作させるための操作情報を受け取る操作情報受信手段と、
前記操作情報受信手段により発信のための操作情報が受信されるか又は着信信号が受信された場合に発信制御又は着信応答制御を実行して、通話相手先となる電話装置との間に通話用の通信リンクを確立する、前記電話制御機能の一部を担う呼制御手段と、
前記確立された通話用の通信リンクを使用して通話相手先となる電話装置との間で通話情報の送受信を行う、前記電話制御機能の他の一部を担う通話制御手段と、
前記電話制御機能及び外部アクセス機能が起動されていない状態を待機状態、前記呼制御手段が実行している状態を準起動状態、前記通話制御機能が実行している状態を起動状態としてそれぞれ管理する状態管理手段と、
前記状態管理手段が管理している状態が通話準備状態のときに、前記外部アクセス機能を動作させるための操作情報の受信又は使用を制限する操作制限手段と
を具備することを特徴とする電話装置。
【請求項２】
前記操作制限手段は、前記状態管理手段の管理情報をもとに、待機状態では電話番号の入力操作、オフフック操作及び電話装置の電源投入操作のみを受付け、準起動状態では電話番号の入力操作、オフフック操作、電話発信の終了操作及び電話装置の電源投入操作のみを受付け、起動状態では電話制御機能及び外部アクセス機能に係る全ての操作を受付けることを特徴とする請求項１記載の電話装置。
【請求項３】
電話制御機能及び外部アクセス機能を備え、テレビジョン受信装置の外部入力端子に接続され、前記外部アクセス機能により受信されたＷｅｂ情報を前記テレビジョン受信装置へ出力して表示させる電話装置の発着信制御方法において、
操作端末により入力された、前記電話制御機能及び外部アクセス機能を動作させるための操作情報を受け取る過程と、
前記発信のための操作情報が受信されるか又は着信信号が受信された場合に発信制御又は着信応答制御を実行して、通話相手先となる電話装置との間に通話用の通信リンクを確立する呼制御過程と、
前記確立された通話用の通信リンクを使用して通話相手先となる電話装置との間で通話情報の送受信を行う通話制御過程と、
前記電話制御機能及び外部アクセス機能が起動されていない状態を待機状態、前記呼制御過程が実行されている状態を準起動状態、前記通話制御過程が実行されている状態を起動状態としてそれぞれ管理する状態管理過程と、
前記管理されている状態が通話準備状態のときに、前記外部アクセス機能を動作させるための操作情報の受信又は使用を制限する操作制限過程と
を具備することを特徴とする電話装置の動作制御方法。
【請求項４】
前記操作制限過程は、前記状態管理過程により管理されている状態の情報をもとに、待機状態では電話番号の入力操作、オフフック操作及び電話装置の電源投入操作のみを受付け、準起動状態では電話番号の入力操作、オフフック操作、電話発信の終了操作及び電話装置の電源投入操作のみを受付け、起動状態では電話制御機能及び外部アクセス機能に係る全ての操作を受付けることを特徴とする請求項３記載の電話装置の動作制御方法。
【請求項５】
請求項１又は２記載の電話装置が具備する手段の処理を実行するプログラム。
【発明の詳細な説明】
【技術分野】
【０００１】
この発明は、テレビジョン受信装置のモニタ画面を利用して、Ｗｅｂ情報等を表示させる外部アクセス機能を備えた電話装置とその動作制御方法及びプログラムに関する。
【背景技術】
【０００２】
電話装置の一つとして、放送用のテレビジョン受信装置のモニタを表示画面として利用するテレビジョン会議装置が知られている。この種の装置は、例えば電話番号の入力操作等に応じてテレビジョン受信装置に対し表示画面の切替信号を出力し、これによりテレビジョン受信装置のモニタの電源を投入したり表示画面を切り替える機能を有している（例えば特許文献１を参照）。
【０００３】
また、このようなテレビジョンモニタを利用する電話装置にブラウザ等のインターネットアクセス機能をさらに設け、このインターネットアクセス機能を利用してＷｅｂサイトから閲覧情報等をダウンロードしてテレビジョンモニタに表示させるようにした電話装置も出現している。このような電話装置であれば、例えば電話通信を行いながら、Ｗｅｂサイトの閲覧情報やダウンロードしたコンテンツをテレビジョン受信装置の大きなモニタ画面を用いて確認することが可能となり、大変便利である。
【先行技術文献】
【特許文献】
【０００４】
【特許文献１】特開２００９−２０６７５５号公報
【発明の概要】
【発明が解決しようとする課題】
【０００５】
ところが、この種の従来の電話装置では、電話の発着信のための操作ボタンに加えてインターネットアクセスのための操作ボタンが併設された操作端末を使用することが一般的である。このため、電話の発着信制御中にユーザが誤ってインターネットアクセスのためのボタンを押してしまうと、発着信制御機能が誤動作して不適切な発着信処理が行われることがあった。
【０００６】
この発明は上記事情に着目してなされたもので、その目的とするところは、電話の発着信制御期間中にインターネット上のサイトや外部の記録デバイス等にアクセスするためのボタンが誤って操作されても、呼制御が誤動作しないようにした、電話装置とその動作制御方法及びプログラムを提供することにある。
【課題を解決するための手段】
【０００７】
上記目的を達成するためにこの発明の１つの観点は、電話制御機能及び外部アクセス機能を備え、テレビジョン受信装置の外部入力端子に接続され、上記外部アクセス機能により受信されたＷｅｂ情報を上記テレビジョン受信装置へ出力して表示させる電話装置において、操作端末により入力された、上記電話制御機能及び外部アクセス機能を動作させるための操作情報を受け取る操作情報受信手段又は過程と、上記操作情報受信手段又は過程により発信のための操作情報が受信されるか又は着信信号が受信された場合に発信制御又は着信応答制御を実行して、通話相手先となる電話装置との間に通話用の通信リンクを確立する、上記電話制御機能の一部を担う呼制御手段又は過程と、上記確立された通話用の通信リンクを使用して通話相手先となる電話装置との間で通話情報の送受信を行う、上記電話制御機能の他の一部を担う通話制御手段と、上記電話制御機能及び外部アクセス機能が起動されていない状態を待機状態、上記呼制御手段が実行している状態を準起動状態、上記通話制御機能が実行している状態を起動状態としてそれぞれ管理する状態管理手段又は過程と、上記状態管理手段又は過程が管理している状態が通話準備状態のときに、上記外部アクセス機能を動作させるための操作情報の受信又は使用を制限する操作制限手段又は過程とを具備することを特徴とするものである。
【０００８】
具体的には、上記操作制限手段又は過程により、待機状態では電話番号の入力操作、オフフック操作及び電話装置の電源投入操作のみを受付け、準起動状態では電話番号の入力操作、オフフック操作、電話発信の終了操作及び上記電話装置の電源投入操作のみを受付け、起動状態では電話制御機能及び外部アクセス機能に係る全ての操作を受付けるように制御する。
【０００９】
したがって、この発明の一観点によれば、呼制御の実行中には外部アクセス機能を動作させるための操作情報の受信又は使用が制限される。このため、ユーザが操作端末において、呼制御の実行中に誤って外部アクセス機能を実行させる操作ボタンを押した場合でも、その操作情報は受信が拒否されるか又は受信されても無効とされ、この結果呼制御の誤動作は防止される。
【発明の効果】
【００１０】
すなわちこの発明によれば、電話の発着信制御期間中にインターネット上のサイトや外部の記録デバイス等にアクセスするためのボタンが誤って操作されても、発着信制御が適切に実行されるようにした電話装置とその動作制御方法及びプログラムを提供することができる。
【図面の簡単な説明】
【００１１】
【図１】この発明の第１の実施形態に係る電話装置の機能構成を示すブロック図。
【図２】図１に示した電話装置による動作制御の処理手順と処理内容を示すフローチャート。
【図３】この発明の第２の実施形態に係る電話装置の機能構成を示すブロック図。
【図４】図３に示した電話装置による動作制御の処理手順と処理内容を示すフローチャート。
【発明を実施するための形態】
【００１２】
以下、図面を参照してこの発明に係わる幾つかの実施形態を説明する。  
［第１の実施形態］
（構成）
図１は、この発明の第１の実施形態に係る電話端末の機能構成を示すブロック図であり、１Ａは発信側の電話端末を、２Ａは着信側の電話端末をそれぞれ示している。
【００１３】
これらの電話端末１Ａ，２Ａは通信ネットワーク３を介して相互に通信が可能である。通信ネットワーク３は、インターネット等のＩＰ（Internet Protocol）網と、このＩＰ網にアクセスするためのアクセス網とから構成される。アクセス網としては、光ファイバ公衆網、ＣＡＴＶ（Cable Television）、有線ＬＡＮ（Local Area Network）等の有線網や、携帯電話網、ホットスポット（登録商標）、WiMAX（登録商標）、無線ＬＡＮ等の無線通信網が用いられる。
【００１４】
また電話端末１Ａ，２Ａは、それぞれ放送用テレビジョン受信装置（ＴＶ受信装置）４，５の外部入力端子に接続されている。その接続手段としては、例えばＨＤＭＩケーブルが望ましいが、他にも無線ＬＡＮやBluetooth（登録商標）等の近距離無線データ通信規格を採用した無線インタフェースを使用することもできる。
【００１５】
発信側の電話端末１Ａは、制御ユニット１１Ａと、リモートコントローラ（リモコン）１２と、送受話用のマイク１３及びスピーカ１４を備えている。リモコン１２は、ダイヤルキーパッドや発信ボタン、終了ボタン等の電話制御機能を動作させるための第１のキー群と、インターネットアクセス機能を動作させるための第２のキー群を備えている。すなわち、このリモコン１２は、電話のための操作とインターネットアクセスのための操作を一括して行えるようになっている。
【００１６】
制御ユニット１１Ａは、マイクロプロセッサ等のＣＰＵと、プログラムやデータを記憶するメモリを備えたもので、本実施形態を実施する上で必要な機能として、操作情報受信部１１１と、状態管理部１１２と、入力受付制限部１１３と、手動発信制御部１１４Ａと、通話制御部１１５と、インターネットアクセス制御部１１６を有している。このうち、手動発信制御部１１４Ａ及び通話制御部１１５は電話制御機能を構成する。  
また、上記各制御機能はいずれもアプリケーション・プログラムを上記ＣＰＵに実行させることにより実現される。
【００１７】
操作情報受信部１１１は、上記リモコン１２から例えば赤外線又は無線により送信された操作信号を受信する機能を有する。
【００１８】
手動発信制御部１１４Ａは、上記操作情報受信部１１１により発信先電話番号の入力開始操作が検出されたことに応じて起動し、以下の処理を実行する。  
(1) 上記操作情報受信部１１１により順次受信された発信先電話番号データを保持し、操作情報受信部１１１によりオフフック信号が受信された時点で、上記保存された発信先電話番号データと自端末１Ａの発信元電話番号を含む発信リクエストを生成して、通信ネットワーク３へ送信する処理。  
(2) 上記発信リクエストの送信後にスピーカ１４からＲＢＴ（Ring Back Tone）を出力し、上記発信リクエストの送信に対し着信側の電話端末２Ａから着信応答が返送された場合に、当該着信側の電話端末２Ａとの間に通話用の通信リンクを確立する処理。  
なお、以上の処理を実現するための呼制御プロトコルとしては、例えばＳＩＰ（Session Initiation Protocol）が用いられる。
【００１９】
通話制御部１１５は、上記着信側の電話端末２Ａとの間に通話用の通信リンクが確立された場合に起動するもので、マイク１３により入力された送話音声を符号化して電話端末２Ａへ送信する処理と、電話端末２Ａから送られた受話音声データを復号してこの復号された受話音声信号をＴＶ受信装置４へ出力し、そのスピーカから受話音声を出力させる処理を実行する。
【００２０】
インターネットアクセス制御部１１６は、例えばＷｅｂページの情報閲覧に使用するブラウザや写真閲覧に使用するフォトビューワからなる。そして、リモコン１２において入力されたアクセス操作情報に従いＷｅｂページに対しアクセスし、当該Ｗｅｂページから閲覧情報等をダウンロードしてこのダウンロードされた閲覧情報等をＴＶ受信装置４へ出力して表示させる処理を実行する。
【００２１】
状態管理部１１２は、電話端末１Ａの動作状態を、「待機状態」、「準起動状態」及び「起動状態」からなる３種類の状態で管理する。「待機状態」は、発信制御及び通話制御が行われていないときに設定される。「待機状態」において、発信先電話番号の入力操作又はオフフック操作が行われると「待機状態」から「準起動状態」に遷移する。「準起動状態」において、電話端末１Ａ，２Ａ間に通話用の通信リンクが確立されたときに「準起動状態」から「起動状態」に遷移する。また、「待機状態」または「準起動状態」から電源投入操作を行うと「起動状態」に遷移する。
【００２２】
入力受付制限部１１３は、上記状態管理部１１２により管理される電話端末１Ａの動作状態に基づき、「準起動状態」のときに、操作情報受信部１１１で受信された各操作信号のうちインターネットアクセス制御に関係する操作信号の入力受付を拒否するもので、具体的には以下の入力制限処理を行う。  
(1) 「待機状態」においては、電話番号の入力操作、オフフック操作、電話端末１Ａの電源投入操作のみを受付ける。  
(2) 「準起動状態」においては、電話番号の入力操作、オフフック操作、電話発信の終了操作、及び電話端末１Ａの電源投入操作のみを受付ける。  
(3) 「起動状態」は、電話通話及びインターネットアクセスに係る全ての操作を受付ける。
【００２３】
一方、着信側の電話端末２Ａも、上記発信側の電話端末１Ａと同様に、制御ユニット２１Ａと、リモコン２２と、送受話用のマイク２３及びスピーカ２４を備えている。リモコン２２は、先に述べた発信側の電話端末１Ａのリモコン１２と同様に、ダイヤルキーパッドや発信ボタン、終了ボタン等の電話制御機能を動作させるための第１のキー群と、インターネットアクセス機能を動作させるための第２のキー群を備えている。すなわち、このリモコン２２も、電話のための操作とインターネットアクセスのための操作を一括して行えるようになっている。
【００２４】
制御ユニット２１Ａは、ＣＰＵと、プログラムやデータを記憶するメモリを備えたもので、本実施形態を実施する上で必要な機能として、操作情報受信部２１１と、状態管理部２１２と、入力受付制限部２１３と、着信制御部２１４と、通話制御部２１５と、インターネットアクセス制御部２１６を備えている。このうち、手動発信制御部２１４及び通話制御部２１５は電話制御機能を構成する。  
なお、これらの制御機能はいずれもアプリケーション・プログラムを上記ＣＰＵに実行させることにより実現される。
【００２５】
操作情報受信部２１１は、上記リモコン２２から例えば赤外線又は無線により送信された操作信号を受信する機能を有する。
【００２６】
着信制御部２１４は、自端末宛の発信リクエストを受信した場合に起動し、着信制御中にスピーカ２３から着信鳴動音を出力させると共に、着信ユーザのオフフック操作を監視する。この状態で、操作情報受信部２１１によりオフフック信号が受信されると、発信側の電話端末１Ａへ着信応答を返送すると共に、当該発信側の電話端末１Ａとの間に通信リンクを確立する。なお、呼制御プロトコルとしては、発信側の端末１Ａと同様にＳＩＰを用いる。
【００２７】
通話制御部２１３は、発信元の電話端末１Ａとの間に通信リンクが確立された場合に起動するもので、マイク２３により入力された送話音声を符号化して電話端末１Ａへ送信する処理と、電話端末１Ａから送られた受話音声データを復号し、この復号された受話音声信号をＴＶ受信装置５へ出力してそのスピーカから受話音声を出力させる処理を実行する。
【００２８】
インターネットアクセス制御部２１６は、例えばＷｅｂページの情報閲覧に使用するブラウザや写真閲覧に使用するフォトビューワからなる。そして、リモコン２２において入力されたアクセス操作情報に従いＷｅｂページに対しアクセスし、当該Ｗｅｂページから閲覧情報等をダウンロードしてこのダウンロードされた閲覧情報等をＴＶ受信装置５へ出力して表示させる処理を実行する。
【００２９】
状態管理部２１２は、先に述べた発信側の電話端末１Ａと同様に、電話端末２Ａの動作状態を、「待機状態」、「準起動状態」及び「起動状態」からなる３種類の状態で管理する。「待機状態」は、着信制御及び通話制御が行われていないときに設定される。「待機状態」において、着信が検出されると「待機状態」から「準起動状態」に遷移させる。「準起動状態」において、ユーザにより着信応答のためのオフフック操作が行われ、電話端末１Ａ，２Ａ間に通話用の通信リンクが確立されたときに、「準起動状態」から「起動状態」に遷移させる。また、「待機状態」または「準起動状態」から電源投入操作を行うと「起動状態」に遷移する。
【００３０】
入力受付制限部２１３は、上記状態管理部２１２により管理される電話端末２Ａの動作状態に基づき、「準起動状態」のときに、操作情報受信部２１１で受信された各操作信号のうちインターネットアクセス制御に関係する操作信号の入力受付を拒否するもので、具体的には以下の入力制限処理を行う。  
(1) 「待機状態」においては、動作モードの設定のための各種操作と、オフフック操作及び電話端末２Ａの電源投入操作のみを受付ける。  
(2) 「準起動状態」においては、着信応答のためのオフフック操作、着信制御の終了操作、及び電話端末２Ａの電源投入操作のみを受付ける。  
(3) 「起動状態」は、電話通話及びインターネットアクセスに係る全ての操作を受付ける。
【００３１】
（動作）
次に、以上のように構成された電話端末１Ａ，２Ａの動作を説明する。図２はその処理手順と処理内容を示すフローチャートである。  
発着信操作の待機状態において、状態管理部１１２，２１２はそれぞれステップＳ１１，Ｓ１８において電話端末１Ａ，２Ａの動作状態をいずれも待機状態に設定する。また、この待機状態において電話端末１Ａの入力受付制限部１１３は、ステップＳ１２により、電話番号の入力操作、オフフック操作、及び電話端末１Ａの電源投入操作のみを受付け可能に設定している。また、電話端末２Ａの入力受付制限部２１３は、ステップＳ１９により、動作モードの設定のための各種操作と、オフフック操作及び電話端末２Ａの電源投入操作のみを受付け可能に設定している。
【００３２】
この待機状態において、発信ユーザが電話端末１Ａのリモコン１２を操作して、発信先電話番号の第１桁を入力したとする。制御ユニット１１Ａは、上記発信先電話番号の第１桁を操作情報受信部１１１で受信すると、ステップＳ１３により手動発信制御部１１４Ａを起動し、この手動発信制御部１１４Ａの制御の下で上記発信先電話番号の第１桁を受け取って保持する。
【００３３】
また、このとき状態管理部１１２が電話端末１Ａの動作状態を「待機状態」から「準起動状態」に遷移させる（ステップＳ１４）。そして、この「準起動状態」への状態遷移の伴い入力受付制限部１１３は、ステップＳ１５において、電話番号の入力操作、オフフック操作、電話発信の終了操作、及び電話端末１Ａの電源投入操作のみを受付け可能に設定する。
【００３４】
この「準起動状態」において、発信ユーザがリモコン１２を操作して発信先電話番号の第２桁目以降を入力すると、桁が１つ入力されるごとにステップＳ１６でこの入力された発信先電話番号の桁が受付けられて保持される。そして、上記発信先電話番号の全ての桁の入力が終了し、発信ユーザがオフフック操作を行うと、手動発信制御部１１４ＡはステップＳ１７により、ＳＩＰで規定された呼接続制御手順に従い、上記保存された発信先電話番号データと自電話端末の発信元電話番号を含む発信リクエストを生成して通信ネットワーク３へ送信する。
【００３５】
このあと手動発信制御部１１４Ａの制御の下で、着信側の電話端末２Ａが着信応答するまでＲＢＴ（Ring Back Tone）がスピーカ１４から出力されるが、電話端末１Ａの動作状態は「準起動状態」のまま維持されて「起動状態」には遷移しない。したがって、この状態でリモコン１２のインターネットアクセス用のキー群が操作されたとしても、その操作情報は入力受付制限部１１３において受付可能な操作情報として定義されていないので、入力受付が拒否される。このため、上記発信制御が誤動作する心配はない。
【００３６】
一方、着信側の電話端末２Ａでは、待機状態において着信制御部２１４が発信リクエストの受信を監視している。この状態で、ステップＳ２０により自端末宛の発信リクエストが受信されると、先ず状態管理部２１２が電話端末２Ａの動作状態を「待機状態」から「準起動状態」に遷移させる（ステップＳ２１）。そして、この「準起動状態」への状態遷移の伴い入力受付制限部２１３が、着信応答のためのオフフック操作、着信制御の終了操作、及び電話端末２Ａの電源投入操作のみを受付け可能に設定する（ステップＳ２２）。
【００３７】
したがって、この準起動状態において、たとえリモコン２２のインターネットアクセス用のキー群が操作されたとしても、その操作情報は入力受付制限部２１３において受付可能な操作情報として定義されていないので、入力受付が拒否される。このため、上記着信制御が誤動作する心配はない。
【００３８】
上記自端末宛の発信リクエストが受信されると、着信鳴動音がスピーカ２４から出力される。そして、この状態で当該着信鳴動音を確認したユーザが、リモコン２２においてオフフック操作を行ったとすると、このオフフック操作の操作情報は入力受付制限部２１３において受付可能な操作情報の１つとして定義されているため入力が受付けられる。この結果、着信制御部２１４の制御の下、発信側の電話端末１Ａに向け着信応答が返送される（ステップＳ２３）。そして、発信側の電話端末１Ａとの間に通話用の通信リンクが確立されると通話制御部２１５が起動し、以後この通話制御部２１５の制御の下で送受話制御が開始される（ステップＳ２６）。
【００３９】
また、上記通話用の通信リンクが確立されると、状態管理部２１２により電話端末２Ａの動作状態が「準起動状態」から「起動状態」に遷移する（ステップＳ２４）。そして、この起動状態への遷移に伴い、入力受付制限部２１３により電話通話及びインターネットアクセスに係る全ての操作が受付け可能に設定される。
【００４０】
したがって、電話端末２Ａでは、以後通話制御部２１５及びインターネットアクセス制御部２１６の制御の下で、保留や録音指示等の通話に係る種々の操作が可能となると共に、インターネットアクセスに係る操作も可能となる（ステップＳ２６）。
【００４１】
例えば、通話を行いながら、ユーザがリモコン２２を操作してインターネットアクセス操作を行うと、その操作情報が入力受付制限部２１３を介してインターネットアクセス制御部２１６に入力され、これによりインターネットアクセス制御部２１６のブラウザが起動する。そして、この状態でユーザが所望のＷｅｂサイトの名称又はＵＲＬ（Uniform Resource Locator）を入力すると、ブラウザにより当該Ｗｅｂサイトがアクセスされてその閲覧情報がダウンロードされる。このダウンロードされた閲覧情報は、モニタ画面の切替制御信号と共にＴＶ受信装置５へ出力される。この切替制御信号は、ＴＶ受信装置５のモニタ画面を放送視聴画面から電話端末２Ａから出力される表示画面に切替えるための信号である。この結果、ＴＶ受信装置５のモニタ画面に上記閲覧情報が表示される。
【００４２】
なお、このときＴＶ受信装置５の電源が投入されていなければ、上記閲覧情報及び切替指示信号の出力に先立ち電源投入制御信号がＴＶ受信装置５へ出力され、これによりＴＶ受信装置５の電源が投入される。上記画面切替制御及び電源制御は、例えばＨＤＭＩ接続のＣＥＣ信号を用いて行うことができる。
【００４３】
一方、発信側の電話端末１Ａでは、上記発信リクエストの送信後に手動発信制御部１１４Ａにより着信応答の返送が監視されている（ステップＳ２７）。そして、この状態で着信側の電話端末２Ａから着信応答か返送されると、ステップＳ３０により通話制御部１１５が起動し、以後この通話制御部１１５の制御の下で送受話制御が開始される。
【００４４】
また、上記着信応答の返送が検出されると、ステップＳ２８により状態管理部１１２が端末１Ａの動作状態を「準起動状態」から「起動状態」に遷移させる。そして、この起動状態への遷移に伴い、入力受付制限部１１３により電話通話及びインターネットアクセスに係る全ての操作が受付け可能に設定される（ステップＳ２９）。
【００４５】
したがって、電話端末１Ａでは、以後通話制御部１１５及びインターネットアクセス制御部１１６の制御の下で、保留や録音指示等の通話に係る種々の操作が可能となると共に、インターネットアクセスに係る操作も可能となる。その具体的な動作例は、着信側の電話端末２Ａにおいて述べたのでここでの説明は省略する。なお、ＴＶ受信装置４の電源が未投入の場合に、電源を投入するための制御信号を併せて出力する点、及びこれらの画面切替制御及び電源制御を例えばＨＤＭＩ接続のＣＥＣ信号を用いて行う点についても、着信側の電話端末２Ａと同様である。
【００４６】
以上詳述したように第１の実施形態では、発信側の電話端末１Ａ及び着信側の電話端末２Ａの何れにおいても、手動発信制御期間中及びその着信制御期間中は電話端末２Ａの動作状態を「準起動状態」に設定し、この「準起動状態」の状態ではインターネットアクセスのための操作を受付けないように入力受付制限部２１３で制御している。
【００４７】
したがって、手動発信制御期間中及びその着信制御期間中において、たとえリモコン１２，２２のインターネットアクセス用のキー群が操作されたとしても、その操作情報は入力受付制限部１１３，２１３において入力受付が拒否される。このため、上記手動発信制御及び着信制御が誤動作する心配はない。
【００４８】
［第２の実施形態］
（構成）
図３は、この発明の第２の実施形態に係る電話装置の機能構成を示すブロック図であり、１Ｂは発信側の電話端末を、２Ｂは着信側の電話端末をそれぞれ示している。なお、同図において前記図１と同一部分には同一符号を付して詳しい説明は省略する。
【００４９】
発信側の電話端末１Ｂの制御ユニット１１Ｂは、発信制御機能として、タイマ発信制御部１１４Ｂを備えている。タイマ発信制御部１１４Ｂは、待機状態でオフフック操作が検出された場合に起動し、以下の処理を実行する。  
(1) 上記オフフック操作の検出後、操作情報受信部１１１により発信先電話番号が一桁受信されるごとに当該電話番号の桁を保存する。また、この発信先電話番号の入力期間中に、上記オフフック操作の検出時点及び発信先電話番号が一桁受信されるごとにタイマによる計時動作を開始させ、タイマがタイムオーバした時点で発信先電話番号の全桁の入力が終了したと見なし、上記保存された発信先電話番号データと自端末の発信元電話番号を含む発信リクエストを生成して、通信ネットワーク３へ送信する処理。  
(2) 上記発信リクエストの送信に対し、発信先（着信側）の電話端末２Ｂから着信応答が返送された場合に、当該電話端末２Ｂとの間に通話用の通信リンクを確立する処理。  
なお、この場合も、呼制御プロトコルとしては例えばＳＩＰ（Session Initiation Protocol）が用いられる。
【００５０】
本実施形態においても、状態管理部１１２は電話端末１Ｂの動作状態を、「待機状態」、「準起動状態」及び「起動状態」からなる３種類の状態で管理する。「待機状態」は、発信制御及び通話制御が行われていないときに設定される。「待機状態」において、オフフック操作が行われると「待機状態」から「準起動状態」に遷移する。「準起動状態」において、電話端末１Ａ，２Ａ間に通話用の通信リンクが確立されたときに「準起動状態」から「起動状態」に遷移する。
【００５１】
入力受付制限部１１３は、上記状態管理部１１２により管理される電話端末１Ｂの動作状態に基づき、「準起動状態」のときに、操作情報受信部１１１で受信された各操作情報のうちインターネットアクセス制御に関係する操作情報の入力受付を拒否するもので、具体的には以下の入力制限処理を行う。  
(1) 「待機状態」においては、電話番号の入力操作、オフフック操作、電話端末１Ｂの電源投入操作のみを受付ける。  
(2) 「準起動状態」においては、電話番号の入力操作、オフフック操作、電話発信の終了操作、及び電話端末１Ｂの電源投入操作のみを受付ける。  
(3) 「起動状態」は、電話通話及びインターネットアクセスに係る全ての操作を受付ける。  
なお、着信側の電話端末２Ｂの構成は図１に示した電話端末２Ａと同一なので、ここでの説明は省略する。
【００５２】
（動作）
次に、以上のように構成されたＴＶ電話端末１Ｂ，２Ｂの動作を説明する。図４はその処理手順と処理内容を示すフローチャートである。なお、同図において前記図２と処理内容が同一のステップには同一符号を付して説明を行う。
【００５３】
発着信操作の待機状態において、状態管理部１１２，２１２はそれぞれステップＳ１１，Ｓ１８において電話端末１Ｂ，２Ｂの動作状態をいずれも待機状態に設定する。また、この待機状態において電話端末１Ｂの入力受付制限部１１３は、ステップＳ１２により、電話番号の入力操作、オフフック操作、及び電話端末１Ｂの電源投入操作のみを受付け可能に設定している。また、電話端末２Ｂの入力受付制限部２１３は、ステップＳ１９により、動作モードの設定のための各種操作と、オフフック操作及び電話端末２Ｂの電源投入操作のみを受付け可能に設定している。
【００５４】
この待機状態において、発信ユーザが電話端末１Ｂのリモコン１２を操作して、オフフック操作を行ったとする。制御ユニット１１Ｂは、上記オフフック操作による操作信号を操作情報受信部１１１で受信するとタイマ発信制御部１１４Ｂを起動し、このタイマ発信制御部１１４Ｂの制御の下でタイマに計時動作を開始させる（ステップＳ３１）。
【００５５】
次に、状態管理部１１２により、端末１Ｂの動作状態「待機状態」から「準起動状態」に遷移させる（ステップＳ１４）。この「準起動状態」への状態遷移に伴い、入力受付制限部１１３はステップＳ１５において、電話番号の入力操作、電話発信の終了操作、及び電話端末１Ｂの電源投入操作のみを受付け可能に設定する。
【００５６】
この「準起動状態」において、発信ユーザがリモコン１２を操作して発信先電話番号を入力したとする。そうすると、この発信先電話番号の入力は入力受付制限部１１３により受付けられ、その桁が１つ入力されるごとにステップＳ１６でこの入力された発信先電話番号の桁が受付けられて保持される。そして、上記タイマの計時時間が予め設定された時間に達すると、タイマ発信制御部１１４ＢはステップＳ３２により、ＳＩＰで規定された呼接続制御手順に従い、上記保存された発信先電話番号データと自端末の発信元電話番号を含む発信リクエストを生成して通信ネットワーク３へ送信する。このあとタイマ発信制御部１１４Ｂの制御の下で、着信側の端末２Ｂが着信応答するまでＲＢＴ（Ring Back Tone）がスピーカ１４から出力される。
【００５７】
なお、このタイマ発信制御中において、端末の動作状態は「起動状態」に遷移せずに「準起動状態」に維持され、これに伴い入力受付制限部１１３においても電話番号の入力操作、電話発信の終了操作、及び電話端末１Ｂの電源投入操作のみが受付け可能な状態に維持される。このため、上記タイマ発信制御期間中に、たとえリモコン１２においてインターネットアクセス用のキー群が操作されたとしても、その操作情報は入力受付制限部１１３において受付可能な操作情報として定義されていないので、入力受付が拒否される。このため、上記タイマ発信制御が誤動作する心配はない。
【００５８】
一方、着信側の電話端末２Ｂでは、先に述べた第１の実施形態と同様に、待機状態において着信制御部２１４が発信リクエストの受信を監視している。この状態で、ステップＳ２０により自端末宛の発信リクエストが受信されると、先ず状態管理部２１２が電話端末２Ａの動作状態を「待機状態」から「準起動状態」に遷移させる（ステップＳ２１）。そして、この「準起動状態」への状態遷移の伴い入力受付制限部２１３が、着信応答のためのオフフック操作、着信制御の終了操作、及び電話端末２Ｂの電源投入操作のみを受付け可能に設定する（ステップＳ２２）。
【００５９】
したがって、この準起動状態において、たとえリモコン２２のインターネットアクセス用のキー群が操作されたとしても、その操作情報は入力受付制限部２１３において受付可能な操作情報として定義されていないので、入力受付が拒否される。このため、上記着信制御が誤動作する心配はない。
【００６０】
上記自端末宛の発信リクエストが受信されると、着信鳴動音がスピーカ２４から出力される。そして、この状態で当該着信鳴動音を確認したユーザが、リモコン２２においてオフフック操作を行ったとすると、このオフフック操作の操作情報は入力受付制限部２１３において受付可能な操作情報の１つとして定義されているため入力が受付けられる。この結果、着信制御部２１４の制御の下で、発信側の電話端末１Ｂに向け着信応答が返送される（ステップＳ２３）。そして、発信側の電話端末１Ｂとの間に通話用の通信リンクが確立されると通話制御部２１５が起動し、以後この通話制御部２１５の制御の下で送受話制御が開始される（ステップＳ２６）。
【００６１】
また、上記通話用の通信リンクが確立されると、状態管理部２１２により電話端末２Ｂの動作状態が「準起動状態」から「起動状態」に遷移する（ステップＳ２４）。そして、この起動状態への遷移に伴い、入力受付制限部２１３により電話通話及びインターネットアクセスに係る全ての操作が受付け可能に設定される。
【００６２】
したがって、電話端末２Ｂでは、以後通話制御部２１５及びインターネットアクセス制御部２１６の制御の下で、保留や録音指示等の通話に係る種々の操作が可能となると共に、インターネットアクセスに係る操作も可能となる（ステップＳ２６）。このインターネットアクセスの例としては、先に第１の実施形態で述べたように、Ｗｅｂサイトに対しアクセスして閲覧情報をダウンロードし、このダウンロードされた閲覧情報を表示画面の切替制御信号と共にＴＶ受信装置５へ出力して表示させる処理があげられる。
【００６３】
なお、このＷｅｂ閲覧情報をＴＶ受信装置５に表示させる際に、ＴＶ受信装置５の電源が投入されていない場合には、上記閲覧情報及び表示画面切替指示信号の出力に先立ち電源投入制御信号がＴＶ受信装置５へ出力され、これによりＴＶ受信装置５の電源が投入される。上記画面切替制御及び電源制御は、例えばＨＤＭＩ接続のＣＥＣ信号を用いて行うことができる。
【００６４】
一方、発信側の電話端末１Ｂでは、上記発信リクエストの送信後に手動発信制御部１１４Ｂにより着信応答の返送が監視されている（ステップＳ２７）。そして、この状態で着信側の電話端末２Ｂから着信応答か返送されると、ステップＳ３０により通話制御部１１５が起動し、以後この通話制御部１１５の制御の下で送受話制御が開始される。
【００６５】
また、上記着信応答の返送が検出されると、ステップＳ２８により状態管理部１１２が端末１Ｂの動作状態を「準起動状態」から「起動状態」に遷移させる。そして、この起動状態への遷移に伴い、入力受付制限部１１３により電話通話及びインターネットアクセスに係る全ての操作が受付け可能に設定される（ステップＳ２９）。
【００６６】
したがって、電話端末１Ｂでは、以後通話制御部１１５及びインターネットアクセス制御部１１６の制御の下で、保留や録音指示等の通話に係る種々の操作が可能となると共に、インターネットアクセスに係る操作も可能となる。その具体的な動作例は、着信側の電話端末２Ｂにおいて述べたのでここでの説明は省略する。なお、ＴＶ受信装置４の電源が未投入の場合に、電源を投入するための制御信号を併せて出力する点、及びこれらの画面切替制御及び電源制御を例えばＨＤＭＩ接続のＣＥＣ信号を用いて行う点についても、着信側の電話端末２Ｂと同様である。
【００６７】
以上詳述したように第２の実施形態においても、タイマ発信制御期間中及び着信制御期間中において、たとえリモコン１２，２２のインターネットアクセス用のキー群が操作されたとしても、その操作情報は入力受付制限部１１３，２１３において入力受付が拒否される。このため、上記タイマ発信制御及び着信制御が誤動作する心配はない。
【００６８】
［その他の実施形態］
なお、この発明は上記各実施形態に限定されるものではない。例えば、前記各実施形態では、説明の簡単のため、発信側及び着信側の各電話端末１Ａ，２Ａ、１Ｂ，２Ｂはそれぞれ発信制御に必要な機能及び着信制御に必要な機能のみを備えているように記載したが、各電話端末１Ａ，２Ａ、１Ｂ，２Ｂは何れも発信制御及び着信制御に必要なすべての機能を備える。
【００６９】
また、前記各実施形態では、外部アクセス機能としてＷｅｂサイトなどにアクセスするインターネットアクセス機能を備えた場合を例にとって説明した。しかし、それに限定されるものではなく、例えばフォトフレームのように写真データ等が記録されている記録メディアに対しアクセスして、この記録メディアから写真データ（静止画像データ）を読み出してＴＶ受信装置に表示させるようにしてもよく、また音楽プレーヤやボイスレコーダ、カメラ等の録音デバイス又は録画デバイスに対しアクセスして、これらのデバイスからオーディオデータやビデオデータを読み出してＴＶ受信装置へ出力し、これにより音楽や音声をスピーカから出力させたり、動画又は静止画をモニタ画面に表示させるようにしてもよい。
【００７０】
さらに、電話装置はテレビジョン電話機能を備えたものであってもよい。この場合には、電話装置に、テレビジョン電話用の表示画面とＷｅｂ閲覧情報の表示画面とを合成又は選択してＴＶ受信装置へ出力する機能を設けることにより実現できる。  
その他、電話装置の機能とその処理手順及び処理内容等についても、この発明の要旨を逸脱しない範囲で種々変形して実施可能である。
【００７１】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００７２】
１Ａ，１Ｂ…発信側の電話端末、２Ａ，２Ｂ…着信側の電話端末、３…通信ネットワーク、４，５…ＴＶ受信装置、１１Ａ，１１Ｂ，２１Ａ，２１Ｂ…制御ユニット、１２，２２…リモコン、１３，２３…マイク、１４，２４…スピーカ、１１１，２１１…操作情報受信部、１１２，２１２…状態管理部、１１３，２１３…入力受付制限部、１１４Ａ…手動発信制御部、１１４Ｂ…タイマ発信制御部、１１５，２１５…通話制御部、１１６，２１６…インターネットアクセス制御部。
【図１】
2013157715.tif 000003
【図２】
2013157715.tif 000004
【図３】
2013157715.tif 000005
【図４】
2013157715.tif 000006